(57)【要約】      （修正有）【課題】カレンダー表示可動装置は、瞬時ジャンプ駆動機構によって複数ステップずつ駆動される危険性を取り除く。【解決手段】カレンダー可動装置１と、駆動可動装置３と、瞬時ジャンプカム７と、瞬時ジャンプカム７に運動学的に連結されたフィンガー９ｂとを含む。駆動フィンガー９ｂは、軸６、７ａの周りに旋回可能に取り付けられている解放部材９によって支えられており、軸６は、駆動可動装置３の軸であり、この解放部材９は、軸７ａの周りに角変位が可能なように構成された開口部９ａを有し、それによって駆動フィンガー９ｂは、カレンダーが修正される間、カレンダー可動装置の歯部１ａから解放される。戻しばね８は、駆動フィンガーがカレンダー可動装置１の歯部と係合される位置、すなわちハブ３ａに当接するように開口部９ａの縁端部を導くために、第２旋回軸７ａの周りに駆動フィンガー９ｂを回転させている。【選択図】図１
2007024900.tif 000002
【特許請求の範囲】
【請求項１】
角度位置決めジャンパ（２）と係合しているカレンダー可動装置（１）と、当該カレンダー可動装置（１）を駆動する可動装置（３）と、２４時間毎に１回転の速度で前記駆動可動装置（３）を回転させる微小輪列と当該駆動可動装置（３）との間にある能動連結部（４、５）と、瞬時ジャンプカム（７）と、前記駆動可動装置（３）の回転毎に１回当該カム（７）を瞬時に移動させるために当該カム（７）と係合している弾性エネルギ蓄積装置（１０、１１）と、該カレンダー可動装置（１）を駆動するために当該カム（７）に運動学的に連結されているフィンガー（９ｂ）と、前記弾性エネルギ蓄積装置（１０、１１）に相対移動を与えることによって、該駆動フィンガー（９ｂ）が該カレンダー可動装置（１）を瞬時に１段階ずつ移動させることができるように、前記弾性エネルギ蓄積装置（１０、１１）が前記弾性エネルギ蓄積装置（１０、１１）のエネルギを解放することができるように選択された自由度を備えた、該駆動可動装置（３）と該カム（７）との間にある運動学的連結部（３ｂ、７ａ）であって、該駆動フィンガー（９ｂ）は、２つの軸の周りに旋回可能に取り付けられている解放部材（９）によって支えられており、２つの軸の中の第１は、前記駆動可動装置（３）のハブ（３ａ）の軸線であり、また２つの軸の中の第２は、当該駆動可動装置（３）に固く連結された軸（７ａ）の軸線であることを特徴とする運動学的連結部（３ｂ、７ａ）と、当該２つの軸の中の該第２軸の周りに角変位を可能にするように構成された開口部（９ａ）を有する当該解放部材（９）であって、それによって該駆動フィンガー（９ｂ）は、カレンダーが修正される間、該カレンダー可動装置の歯部（１ａ）から解放されることが可能であることを特徴とする当該解放部材（９）とを含む日付機構付き時計であって、前もって負荷がかけられている戻しばね（８）は、前記駆動フィンガーが前記カレンダー可動装置（１）の該歯部と係合される位置、すなわち前記ハブ（３ａ）に密着するように前記開口部（９ａ）の縁端部を導くために、前記第２旋回軸の周りに前記駆動フィンガー（９ｂ）を常に回転させていることを特徴とする時計。
【請求項２】
前記前もって負荷がかけられているばね（８）の各端部は、該駆動フィンガー（９ｂ）を支えている前記部材（９）の固定要素（９ｃ）に固く連結されており、かつ当該同一部材の該２つの旋回軸（６、７ａ）を用いて、前記ばねは、前記ばねの両端部間に前もって応力がかけられた状態で保持されていることを特徴とする請求項１記載の時計。
【発明の詳細な説明】
【技術分野】
【０００１】
本発明は、角度位置決めジャンパと係合しているカレンダー可動装置（ｃａｌｅｎｄａｒ  ｍｏｂｉｌｅ）と、このカレンダー可動装置を駆動する可動装置（ｄｒｉｖｉｎｇ  ｍｏｂｉｌｅ）と、２４時間毎に１回転の割合で該駆動可動装置を回転させる微小輪列（ｍｉｎｕｔｅ  ｔｒａｉｎ）とこの駆動可動装置との間の確実な連結部と、瞬時ジャンプカム（ｉｎｓｔａｎｔａｎｅｏｕｓ−ｊｕｍｐ  ｃａｍ）と、該駆動可動装置の回転毎に１回瞬時に瞬時ジャンプカムを移動させるために該瞬時ジャンプカムと係合している弾力のあるエネルギ蓄積装置と、カレンダー可動装置を駆動するために該瞬時ジャンプカムに運動学的に連結されたフィンガーと、駆動フィンガーが１ステップずつ瞬時にカレンダー可動装置を移動させることができるように、エネルギ蓄積装置に相対的移動を伝えることによって、弾力のあるエネルギ蓄積装置がエネルギ蓄積装置のエネルギを解放することができるように選択された自由度を備えた、駆動可動装置と瞬時ジャンプカムとの間の運動学的連結部とを含む日付機構付き時計に関する。
【背景技術】
【０００２】
上記形式の時計において、カレンダー表示可動装置は、瞬時ジャンプ駆動機構によって複数ステップずつ駆動される危険性があり、したがって２日またはそれどころか３日ずつ表示がジャンプしてしまうことが知られている。
【発明の開示】
【発明が解決しようとする課題】
【０００３】
この危険性を防止するために、さまざまな解決策がすでに提案されてきた。それらの解決策の中でも１つの解決策は、カレンダー可動装置が１ステップずつ駆動された後、２つの歯の間で駆動フィンガーを固定することにある。しかしながら、この時点で日付の修正を望んだ場合、この解決策には危険性がある。この解決策は、強制的に実行すると、重大な損傷が機構に引き起こされる可能性があると思われ、それゆえ実行不可能である。
【０００４】
この危険性を防止するために、ボルトがカレンダー可動装置の歯部内に弾力的に係合され、またカレンダー可動装置の瞬時駆動の際、正確に切り離される解決策が提案された。この種の機構は、特許文献１に記載されている。この装置の欠点が由来する点は、カレンダー可動装置の瞬時駆動の際、この駆動用に蓄積されたエネルギは、固定部材上に及ぼされた弾性力にも打ち勝つように作用しなければならず、そのためこのような解決策は、毎日エネルギの過消費を必要とするという点である。
【０００５】
瞬時ジャンプ駆動フィンガーがジャンプした後、カレンダー可動装置の歯部内に保持される瞬時ジャンプ駆動フィンガーを含み、この駆動フィンガーは、弾力のある手段によって駆動装置に連結されて、日付が手動で再設定された場合、カレンダー表示可動装置の歯部がこの駆動フィンガーを移動させることができる機構もまた存在する。
【０００６】
この解決策の欠点が由来する点は、通常状態において、この弾力のあるフィンガーは、自由であり、またしたがって応力がかかっていない状態であり、そのため残留磁気現象によって正確な静止位置を有することが困難であるという点である。その上、フィンガーは、一方においては、十分に剛性があってディスクを駆動しかつ固定できなければならず、また他方においては、十分に柔軟性があって修正ができなければならないので、瞬時ジャンプ駆動のばねとフィンガーのばねとの間の平衡は達成困難である。
【０００７】
瞬時ジャンプカレンダー表示用駆動装置がさらに提案されており（たとえば、特許文献２参照。）、この瞬時ジャンプカレンダー表示用駆動装置は、時間輪および分輪ピニオンによって支えられた部材によってもっぱら構成されており、またこの瞬時ジャンプカレンダー表示用駆動装置内においては、時間輪および分輪ピニオンによって支えられた部材が分輪に対して偏心した旋回軸の周りに先ず移動され、その部材をその部材の静止位置から遠ざける一方、分輪と同軸のばねに負荷をかけている。その負荷をかける工程の最後において、この部材は解放され、この部材は、１段階ずつ瞬時にこの部材を駆動するように、カレンダー表示ディスクの歯部の中にこの部材が突き出されることを可能にしている。この駆動の最後においては、駆動部材のフィンガーは、カレンダーディスクの歯部の外側に置かれ、そのためこの機構は、このディスクが複数段階ずつジャンプするのを防ぐ手段をまったく含んでいない。
【０００８】
【特許文献１】仏国特許第１６０９９０５号
【特許文献２】スイス連邦特許第５２５５０８号
【課題を解決するための手段】
【０００９】
本発明の目的は、前述の欠点を少なくとも部分的に取り除くことである。
【００１０】
この目的を達成するために、本発明の主題は、請求項１に定義されるような、前述の形式のカレンダー機構付き時計である。
【発明の効果】
【００１１】
本発明の主題を形成している解決策の主要な利益は、通常状態においてフィンガーの位置が完全に定義されていること、およびこの通常位置にフィンガーを保持しているばねには、前もって負荷がかけられていることである。別の利益が由来する点は、瞬時ジャンプカレンダー可動装置の駆動装置は、駆動フィンガーを駆動フィンガーの通常位置に保持している力に打ち勝つ必要がないという点である。したがって、このフィンガーがカレンダー可動装置の歯部と係合されているときに、カレンダー可動装置が移動される場合を除いて、駆動フィンガーは、剛性のあるフィンガーのように動作する。結局、必要とされる部品の数は、最小に減らされ、かつこの装置は、組立の際、まったく調整を必要としない。
【発明を実施するための最良の形態】
【００１２】
添付の図面は、本発明の主題を形成している時計の好ましい実施形態を、例を用いて示している。
【００１３】
図１に示された機構は、ばね作動位置決めジャンパ２と係合している、３１個の歯を有する内側歯部１ａを備えた、数字０〜３１（図示せず）が載せてあるリング又は、ディスクの形状をしたカレンダー可動装置１を含む。
【００１４】
カレンダー可動装置１の駆動輪３（図２）は、時間輪５すなわちキャノン輪（ｃａｎｎｏｎ  ｗｈｅｅｌ）と噛み合っている減速可動装置（ｒｅｄｕｃｅｒ  ｍｏｂｉｌｅ）４のピニオン４ａと噛み合っている。この時間輪５は、１２時間で１回転し、またこの時間輪５と駆動輪３との間の歯車比は、１／２であり、そのため駆動輪３は、２４時間で１回転する。
【００１５】
駆動輪３は、軸６上に旋回可能に取り付けられたハブ３ａに固定的に連結されている。このハブ３ａは、瞬時ジャンプカム７を支えており、瞬時ジャンプカム７内には、偏心軸７ａが圧入固定（図２および３）されている。この偏心軸７ａは、駆動輪３の軸に中心点を置く環状扇形の形をした開口部３ｂを貫通している。この偏心軸７ａは、戻しばね８の一端部をさらに貫通している。駆動輪３のハブ３ａもまた戻しばね８の一端部を貫通しているので、戻しばね８のこの端部は、これら２つの固定要素３ａおよび７ａの間に固く保持されている。最後に、偏心軸７ａは、板状の解放部材９を貫通しており、解放部材９には、両端が同一半径の２つの円弧によって境界が定められている細長い開口部９ａが形成されている。開口部９ａの両端の境界を定める２つの円弧は、その直径の値だけ異なる半径を持つ同心状の２つの円弧によって相互に接続されている。偏心軸７ａの軸線から細長い開口部９ａの両端の境界を定める２つの円弧の中心点をつなぐ直線上に下ろした垂直線の末端は、これら２つの円弧の中心点の中間に位置している（図２）。
【００１６】
この配置によって、解放部材９は、細長い開口部９ａの両端部の境界を定める２つの円弧の中心点を隔てている距離に対応する振幅で以って偏心軸７ａの軸線の回りで回転することができる。
【００１７】
この解放部材９は、その一方の面上に、カレンダー可動装置１の歯部１ａと係合させるため、駆動フィンガー９ｂを有している。他方の面には、この解放部材９は、円形突起部９ｃを支えており、その円形突起部の上に、前もって一定の負荷がかけられた戻しばね８の湾曲端部８ａが引っかけられている。この配置によって、解放部材９の細長い開口部９ａが駆動可動装置３のハブ３ａに当接して保持されている場合、駆動フィンガー９ｂは、剛性のあるフィンガーのように動作し、その間、カレンダー可動装置１は駆動される。それに対して、このフィンガー９ｂが図２に示された位置にあり、かつカレンダー可動装置１が手動日付再設定機構（図示せず）によって矢印Ｆの方向に駆動される場合、解放部材９は、ばね８の力に逆らって、偏心軸７ａの周りで旋回し、図５に示された位置に至り、この位置では駆動フィンガー９ｂは移動してカレンダー可動装置１の歯部１ａの歯が走行するための空間を作ることができる。
【００１８】
日付機構は、カレンダー可動装置の瞬時ジャンプのためのエネルギ蓄積装置をさらに含んでいる。このエネルギ蓄積装置（図１）は、瞬時ジャンプばね１１によってカム７の縁端部に押し付けられているローラ１０ａを備えたレバー１０を含む。図１は、レバー１０が反時計方向に傾斜することによって瞬時ジャンプばね１１に最大エネルギが蓄積された瞬間における、瞬時ジャンプ直前のこの瞬時ジャンプ日付機構を示している。この位置は、午前零時に対応している。カム７が駆動輪３内の環状扇形の形状をした開口部３ｂの縁端部によって、図１に示された位置から駆動されると直ちに、ローラ１０ａは、カム７の先端部を通過し、それによって瞬時ジャンプばね１１のエネルギを解放することができ、カム７と、駆動フィンガー９ｂを備えた解放部材９と、戻しばね８とは、図２に示された位置に急峻に回転され、図２に示された位置においては、瞬時ジャンプばね１１の負荷解除は、カム７の僅かな凹み部分７ｂによって引き止められ、カレンダー可動装置１は、ばね作動位置決めジャンパ２と協働して１ステップずつ前方に進むことができる。カム７の凹み部分７ｂによって、図２に示された位置にカム７が引き止められることは、カレンダー可動装置１の２つの歯１ａ間に駆動フィンガー９ｂが保持されることに対応しており、カム７の凹み部分７ｂとカム７の最大半径の部分に対応した先端部分７ｃとの間に瞬時ジャンプに必要なエネルギが蓄積されていた状態で、瞬時ジャンプばね１１の解放により駆動フィンガー９ｂに伝えられる弾みに対応して、駆動フィンガー９ｂは、複数ステップを連続して移動しないよう防がれている。
【００１９】
軸７ａによって相互に連結されているカム７、解放部材９、および戻しばね８によって構成されているこのユニットの変位は、駆動可動装置３を貫通して形成された環状扇形の形状をした開口部３ｂによって可能になっている。
【００２０】
前述の説明の中で明らかになったとおり、カレンダー可動装置１が駆動されているとき、解放部材９内の細長い開口部９ａが駆動可動装置３のハブ３ａによって形成された停止部に当接して戻しばね８によって保持され、駆動可動装置３の旋回軸が駆動フィンガー９ｂの旋回軸と同軸になるという事実によって、駆動フィンガー９ｂは、剛性のあるフィンガーのように動作する。したがって、この駆動フィンガー９ｂの軌道は、完全に定義され、したがって、軌道が完全に定義されている場合、駆動フィンガーは、固定フィンガーのように動作する。
【００２１】
それに対して、カレンダー可動装置の歯１ａが駆動フィンガー９ｂに反対方向の回転力を作用させた場合、駆動フィンガー９ｂは、戻しばね８の力に逆らって、第２編心旋回軸７ａの周りで回動する。そのとき、駆動フィンガー９ｂは、弾力のあるフィンガーのように挙動する。したがって、駆動フィンガー９ｂの２つの動作モードは、相互にまったく影響を及ぼさない。
【００２２】
ばね８には、前もって負荷がかけられているので、瞬時ジャンプ後、カレンダー可動装置１を止めることができるように、さらにカレンダー可動装置が日付再設定装置によって手動で動かされたとき、偏心軸７ａの周りに解放部材９を回動させることによって駆動フィンガー９ｂを解放させることができるように、解放部材９の開口部９ａをハブ３ａに当接させた状態に保持するに必要なトルクを正確に定義することが可能である。
【図面の簡単な説明】
【００２３】
【図１】時計の日付機構の平面図であり、瞬時ジャンプ直前のこの機構を示す。
【図２】図１の拡大部分図であり、瞬時ジャンプ直後の日付機構を示す。
【図３】図１の線ＩＩＩ〜ＩＩＩに沿って切った断面図である。
【図４】図１の線ＩＶ〜ＩＶに沿って切った断面図である。
【図５】機構が別の位置にある図２に類似の図である。
【符号の説明】
【００２４】
１  カレンダー可動装置
１ａ  歯部
３  駆動輪
３ａ  ハブ
６  第１軸
７  瞬時ジャンプカム
７ａ  第２偏心旋回軸
８  戻しばね
９  解放部材
９ａ  細長い開口部
９ｂ  駆動フィンガー
【図１】
2007024900.tif 000003
【図２】
2007024900.tif 000004
【図３】
2007024900.tif 000005
【図４】
2007024900.tif 000006
【図５】
2007024900.tif 000007